(57)【要約】【課題】建築物に複数階に亘って設けられる植栽ルーバの構造であって、建築物の外観を損なうことがなく、安全で経済的な植栽ルーバ構造の提供。【解決手段】植栽ルーバ構造１は、植物を載置可能な複数のルーバ材２を備える。各ルーバ材２は、前後一対の端部固定アングル７，７と、端部固定アングル７に架設される２本の受け部８，８と、植物を載置可能な受け部８を下方から覆うカバー９とを備える。カバー９の前壁１８は、下方へ行くに従って後方へ延出して形成されており、凸湾曲面状とされている。各ルーバ材２は、建築物の外壁を複数階に亘って窪ませた凹部４の互いに対向する壁面にそれぞれ設けられる支持片６に端部固定アングル７が固定されて、前記壁面間に建築物の高さ方向に互いに離隔して架け渡される。【選択図】図２
2018029553.tif 000002
【特許請求の範囲】
【請求項１】
植物を載置可能な複数のルーバ材を備え、
前記複数のルーバ材は、建築物の外壁を複数階に亘って窪ませた凹部の互いに対向する壁面間に、前記建築物の高さ方向に互いに離隔して架け渡される
ことを特徴とする植栽ルーバ構造。
【請求項２】
前記凹部の奥側の壁面には窓が設けられており、
前記複数のルーバ材の内、一部が前記窓と対応して配置される
ことを特徴とする請求項１に記載の植栽ルーバ構造。
【請求項３】
前記各ルーバ材は、前記植物を載置可能な受け部と、前記受け部を下方から覆うカバーとを備えており、
前記カバーは、前壁が下方へ行くに従って後方へ延出して形成されている
ことを特徴とする請求項１または請求項２に記載の植栽ルーバ構造。
【請求項４】
前記植物は、プランタに栽培されて前記複数のルーバ材に載置されており、
前記植物へ水分を供給する供給機構をさらに備え、
前記供給機構は、前記凹部内に上下方向へ沿って配置される配管と、前記配管から分岐して前記プランタへ至る分岐管とを有する
ことを特徴とする請求項１〜３のいずれか１項に記載の植栽ルーバ構造。
【発明の詳細な説明】
【技術分野】
【０００１】
本発明は、建築物の外壁に内方へ窪んで形成されるアルコーブなどの凹部に設置することができるルーバの構造に関するものであり、特に羽板であるルーバ材に植物を載置することができる植栽ルーバ構造に関するものである。
【背景技術】
【０００２】
下記特許文献１には、支柱同士の間に複数の羽根板が上下に所定間隔をあけて水平に取り付けられたルーバーであって、開口容器状に形成された前記羽根板に植物が植え付けられる植栽ルーバーが開示されている。この植栽ルーバーを建築物壁面などの垂直面に取り付けることで、日除けや通風の機能を確保しつつ、建築物壁面などの垂直面の緑化を行うことができる。
【先行技術文献】
【特許文献】
【０００３】
【特許文献１】特開２００２−３４３４７号公報
【発明の概要】
【発明が解決しようとする課題】
【０００４】
しかしながら、従来の植栽ルーバーの場合、建築物の壁面の手前側に設置されるので、羽根板を支持する支柱が必要であり、その支柱の製造コストおよび設置コストがかかる。その上、建築物の建築資材とは全く関係のない支柱が露出することになり、建築物と植栽ルーバーとの一体感がなく、建築物の外観が損なわれてしまう。さらに、従来の植栽ルーバーを建築物の複数階に亘るように設置した場合、背が高くなり、倒れる危険性が増加することになる。また、万が一、倒れた場合、植栽ルーバー付近にいる人や周囲の建築物に、甚大な被害を及ぼす可能性がある。
【０００５】
本発明は、このような問題に鑑みてなされたものであり、その主たる目的は、建築物に複数階に亘って設けられる植栽ルーバの構造であって、建築物の外観を損なうことがなく、安全で経済的な植栽ルーバ構造を提供することにある。
【課題を解決するための手段】
【０００６】
上記目的を達成するための本発明に係る植栽ルーバ構造は、植物を載置可能な複数のルーバ材を備え、前記複数のルーバ材は、建築物の外壁を複数階に亘って窪ませた凹部の互いに対向する壁面間に、前記建築物の高さ方向に互いに離隔して架け渡されることを特徴とする。
【０００７】
また、本発明に係る植栽ルーバ構造は、前記凹部の奥側の壁面には窓が設けられており、前記複数のルーバ材の内、一部が前記窓と対応して配置されることを特徴とする。
【０００８】
また、本発明に係る植栽ルーバ構造は、前記各ルーバ材は、前記植物を載置可能な受け部と、前記受け部を下方から覆うカバーとを備えており、前記カバーは、前壁が下方へ行くに従って後方へ延出して形成されていることを特徴とする。
【０００９】
さらに、本発明に係る植栽ルーバ構造は、前記植物は、プランタに栽培されて前記複数のルーバ材に載置されており、前記植物へ水分を供給する供給機構をさらに備え、前記供給機構は、前記凹部内に上下方向へ沿って配置される配管と、前記配管から分岐して前記プランタへ至る分岐管とを有することを特徴とする。
【発明の効果】
【００１０】
本発明に係る植栽ルーバ構造によれば、ルーバの羽根板であるルーバ材が、建築物の外壁に形成された凹部の互いに対向する壁面間に架け渡されるので、建築物との一体感があり、建築物全体のデザイン性を向上させることができる。また、ルーバ全体が倒れることがなく、別途ルーバを設置する場合と比較して、安全性の向上を図ることができる。さらに、ルーバ材を支持する支柱を別途必要としないので、支柱の製造コストおよび設置コストがかからない。
【００１１】
また、本発明に係る植栽ルーバ構造によれば、窓の手前側にルーバ材が設けられるので、ルーバ材に植物が載置された場合、植物を通過したより涼しい風を屋内へ取り入れることができ、また窓を介した屋内への日射を抑制することができる。
【００１２】
また、本発明に係る植栽ルーバ構造によれば、カバーの前壁が下方へ行くに従って後方へ延出して形成されているので、ルーバ材の奥側への通風を円滑に行うことができる。また、上下に離隔して配置されるルーバ材の下側のルーバ材に設けられる植物への日射が、上側のルーバ材によって妨げられるのを抑制することができる。さらに、カバーの前壁部分において、上下に離隔して配置されるルーバ材の上下の隙間を大きくすることができ、ルーバ材に設けられる植物を高く成長させることができる。
【００１３】
さらに、本発明に係る植栽ルーバ構造によれば、供給機構を備えるので、プランタに栽培された植物への水やりを容易に行うことができる。
【図面の簡単な説明】
【００１４】
【図１】本発明の植栽ルーバ構造の一実施例が適用された建築物の一例を示す概略正面図である。
【図２】図１の植栽ルーバ構造の側面視の概略拡大縦断面図であり、一部を省略して示している。
【図３】図２の一部拡大図である。
【図４】図１の植栽ルーバ構造の平面視の概略拡大横断面図であり、一部を省略して示している。
【図５】図４における概略Ａ−Ａ断面図であり、一部を省略して示している。
【図６】図４における概略Ｂ−Ｂ断面図であり、一部を省略して示している。
【図７】図１の植栽ルーバ構造の使用状態の一例を示す概略拡大正面図であり、一部を省略して示している。
【図８】図７における概略Ｃ−Ｃ断面図であり、一部を省略して示している。
【発明を実施するための形態】
【００１５】
以下、本発明の植栽ルーバ構造の具体的実施例を図面に基づいて詳細に説明する。
【００１６】
図１は、本発明の植栽ルーバ構造の一実施例が適用された建築物の一例を示す概略正面図である。また、図２から図６は、図１の植栽ルーバ構造を示す図であり、図２は一部を省略して示す側面視の概略拡大縦断面図、図３は図２の一部拡大図、図４は一部を省略して示す平面視の概略拡大横断面図、図５は図４の概略Ａ−Ａ断面図、図６は図４の概略Ｂ−Ｂ断面図である。本実施例の植栽ルーバ構造１は、植物を載置可能な複数のルーバ材２を備えており、建築物３の外壁に複数階に亘って窪ませた凹部４に設置される。たとえば、図１に示されるように、４階建ての住宅の２階から３階に亘って形成される二箇所の凹部４に設置される。
【００１７】
各凹部４は、奥側に配置される壁面Ｗ１と互いに対向する左右の壁面Ｗ２，Ｗ３から、内方へ凹んだ凹形状に形成されている。図２および図４に示されるように、奥側の壁面Ｗ１には、窓５が設けられている。また、図３および図４に示されるように、左右の壁面Ｗ２，Ｗ３にはそれぞれ、ルーバ材２を支持する支持片６が複数設けられる。
【００１８】
各支持片６は、壁面Ｗ２，Ｗ３から突出する部分が略矩形に形成された金属板状とされ、その板状部の基端部が壁面Ｗ２，Ｗ３の屋内側の建築物３の躯体に支持される。この際、各支持片６は、板面が上下方向へ沿うようにして配置される。このようにして、左右の壁面Ｗ２，Ｗ３にはそれぞれ、上下に互いに離隔して複数の支持片６が設けられる。左側の壁面Ｗ２に設けられる複数の支持片６と右側の壁面Ｗ３に設けられる複数の支持片６とは、互いに対応するように配置される。なお、本実施例では、支持片６は、凹部４の上端から下端に亘って５１６ｍｍのスパンで設けられる。
【００１９】
支持片６を介して、凹部４の互いに対向する左右の壁面Ｗ２，Ｗ３間に、複数のルーバ材２が建築物３の高さ方向に互いに離隔して架け渡される。各ルーバ材２は、前後一対の端部固定アングル７，７と、端部固定アングル７に架設される２本の受け部８，８と、植物を載置可能な受け部８を下方から覆うカバー９とを備える。
【００２０】
前後一対の端部固定アングル７，７はそれぞれ、板状に形成されており、略矩形の板状の鉛直部１０と、鉛直部１０に設けられる略矩形の板状の水平部１１とを有する。具体的には、前側に配置される端部固定アングル７は、起立した状態で配置される鉛直部１０と、鉛直部１０の下端部から前方へ延出して設けられる水平部１１とを有する。一方、後側に配置される端部固定アングル７は、起立した状態で配置される鉛直部１０と、鉛直部１０の下端部から後方へ延出して設けられる水平部１１とを有する。
【００２１】
前後一対の端部固定アングル７，７は、左右の壁面Ｗ２，Ｗ３に設けられる各支持片６に固定される。具体的には、前後一対の端部固定アングル７，７は、支持片６の板状部を挟むように配置されて、支持片６に固定される。すなわち、前側の端部固定アングル７の鉛直部１０の後面と支持片６の前面とが当接されると共に、後側の端部固定アングル７の鉛直部１０の前面と支持片６の後面とが当接されて、ボルト１２およびナット１３で固定される。このようにして、前後一対の端部固定アングル７，７は、支持片６に対して、背合わせに固定される。
【００２２】
受け部８は、前後方向へ互いに離隔して平行に架設される２本の板状のアングルであり、それぞれが、左右方向を長手方向とする略長方形の板状の起立部１４と、左右方向を長手方向とする略長方形の板状の底部１５とを有する。具体的には、前側に配置される受け部８は、起立した状態で配置される起立部１４と、起立部１４の下端部から後方へ延出して設けられる底部１５とを有する。一方、後側に配置される受け部８は、起立した状態で配置される起立部１４と、起立部１４から前方へ延出して設けられる底部１５とを有する。
【００２３】
前後に配置される受け部８，８はそれぞれ、左右に配置される端部固定アングル７を架け渡すようにして、端部固定アングル７にボルト１６およびナット１７で固定される。前側の受け部８は、底部１５の左端部が左側の前後一対の端部固定アングル７，７の前側の端部固定アングル７の水平部１１に載せ置かれると共に、底部１５の右端部が右側の前後一対の端部固定アングル７，７の前側の端部固定アングル７の水平部１１に載せ置かれ、それぞれボルト１６およびナット１７で固定される。一方、後側の受け部８は、底部１５の左端部が左側の前後一対の端部固定アングル７，７の後側の端部固定アングル７の水平部１１に載せ置かれると共に、底部１５の右端部が右側の前後一対の端部固定アングル７，７の後側の端部固定アングル７の水平部１１に載せ置かれ、それぞれボルト１６およびナット１７で固定される。
【００２４】
カバー９は、上方へ開口した中空容器状に形成されており、受け部８を覆うことができるように左右長さが受け部８の左右長さよりも長い。本実施例では、カバー９は、側面視の縦断面が略舟形の中空部を有する容器状に形成されている。カバー９の前壁１８は、下方へ行くに従って後方へ延出して形成されており、本実施例では、緩やかな凸湾曲面状に形成されている。カバー９の後壁１９は、下方へ行くに従って前方へ延出して形成されており、本実施例では、緩やかな凸湾曲面状に形成されている。
【００２５】
カバー９の前壁１８および後壁１９にはそれぞれ、上壁部２０が設けられる。上壁部２０は、薄板状の長延出片２１と、長延出片２１よりも幅狭の薄板状の短延出片２２とを有する。具体的には、カバー９の前壁１８の上端部には、後方へ延出して長延出片２１が形成され、この長延出片２１の後端部に下方へ延出して短延出片２２が形成されている。一方、カバー９の後壁１９の上端部には、前方へ延出して長延出片２１が形成され、この長延出片２１の前端部に下方へ延出して短延出片２２が形成されている。そして、前壁１８に形成される上壁部２０と後壁１９に形成される上壁部２０との間が、カバー９の上方への開口部とされている。また、カバー９の左右両側壁には、上方へ開口する切欠き２３が形成されている。
【００２６】
図３などに示されるように、カバー９は、板状のカバー固定プレート２４を介して、前後の受け部８，８に設けられる。カバー固定プレート２４は、前後の受け部８，８の起立部１４それぞれに、起立部１４から上方へ延出するようにボルト２５およびナット２６で固定される。前側に配置されるカバー固定プレート２４の上端部に、カバー９の前壁１８側の上壁部２０の長延出片２１と短延出片２２とで形成されたフック状部が引っ掛けられると共に、後側に配置されるカバー固定プレート２４の上端部に、カバー９の後壁１９側の上壁部２０の長延出片２１と短延出片２２とで形成されたフック状部が引っ掛けられる。この際、カバー９の左側壁に形成された切欠き２３に左側の壁面Ｗ２に固定された支持片６が貫通されると共に、カバー９の右側壁に形成された切欠き２３に右側の壁面Ｗ３に固定された支持片６が貫通される。このようにして、カバー９は、受け部８に対して着脱可能とされている。
【００２７】
なお、カバー９の左右両端部には、カバー９の上部を覆う端部覆いカバー２７が設けられる。端部覆いカバー２７は、円弧状に湾曲した可撓性を有する板材からなる被覆部２８と、被覆部２８の前後両端部に下方へ延出して形成される縦片２９と、前後の縦片２９の下端部に前後方向へ互いに離隔するように延出して形成される横片３０とを有する。図３に示されるように、端部覆いカバー２７の後端部には、被覆部２８、縦片２９および横片３０によって、コ字形状部が形成される。端部覆いカバー２７の前端部にも、同様にして、コ字形状部が形成される。従って、端部覆いカバー２７は、前端部に形成されたコ字形状部内にカバー９の前側の上壁部２０の短延出片２２が差し込まれると共に、後端部に形成されたコ字形状部内にカバー９の後側の上壁部２０の短延出片２２が差し込まれて、カバー９に着脱可能に設けられる。
【００２８】
このようにして、複数のルーバ材２は、建築物３の外壁を複数階に亘って窪ませた凹部４の互いに対向する壁面Ｗ２，Ｗ３間に、建築物３の高さ方向に互いに離隔して架け渡される。前述したように奥側の壁面Ｗ１には窓５が設けられているので、複数のルーバ材２の内、一部が窓５と対応して配置されることになる。ところで、図５および図６に示されるように、本実施例の植栽ルーバ構造１は、植物へ水分を供給する供給機構３１と、ルーバ材２内に溜まった水分を外部へ排水する排水機構３２とをさらに備える。
【００２９】
供給機構３１は、建築物３の外壁に形成された凹部４内に上下方向へ沿って配置される筒状の配管３３と、配管３３から分岐する複数の筒状の分岐管３４とを有する。配管３３は、ルーバ材２のカバー９の左右方向略中央部に形成された貫通穴３５を通って、上下方向へ沿って配置される。配管３３の上端部は、蛇腹ホースなどを介して水道の蛇口に接続される。分岐管３４は、可撓性を有するチューブからなり、各ルーバ材２に対して設けられる。すなわち、分岐管３４は、ルーバ材２と同数設けられる。分岐管３４の中途部と先端部には、複数の小さい穴が形成されている。
【００３０】
排水機構３２は、ルーバ材２のカバー９の左端部に形成された貫通穴３６を通って、上下方向へ沿って配置される鎖３７を有する。鎖３７は、上端部が最も上側に配置されるルーバ材２のカバー９に設けられて吊るされる。
【００３１】
次に、本実施例の植栽ルーバ構造１の使用について説明する。図７および図８は、本実施例の植栽ルーバ構造の使用状態を示す図であり、図７は一部を省略して示す概略拡大正面図、図８は図７の概略Ｃ−Ｃ断面図である。
【００３２】
本実施例では、植物３８は、プランタ３９に栽培されてルーバ材２に載置される。図７に示されるように、植物３８が栽培されたプランタ３９は、前述した配管３３を挟んで左右両側に配置される。図８に示されるように、各プランタ３９は、底壁の前端部が前側の受け部８の底部１５に載置されると共に、底壁の後端部が後側の受け部８の底部１５に載置される。このようにしてルーバ材２に載置されたプランタ３９には、前述した供給機構３１の分岐管３４が這わせられる。この際、分岐管３４は、穴が形成された中途部が一方のプランタ３９に対応すると共に、穴が形成された先端部が他方のプランタ３９に対応するようにして、両プランタ３９，３９に這わせられる。すなわち、分岐管３４は、配管３３から分岐してプランタ３９に至るものであり、本実施例では、左右のプランタ３９，３９に連続して至る長さを有している。
【００３３】
このような構成であるので、配管３３内に上方から下方へ向けて水を流すことで、分岐管３４を介して、プランタ３９に栽培された植物３８に水を与えることができる。分岐管３４の中途部および先端部には前述したように小さい穴が複数形成されているので、それらの穴から、分岐管３４の中途部が這わせられた一方のプランタ３９および分岐管３４の先端部が這わせられた他方のプランタ３９へ、水を与えることができる。また、ルーバ材２の底部に溜まった水は、カバー９に形成された貫通穴３６から、鎖３７を伝って下方へ排水することができる。
【００３４】
本実施例の植栽ルーバ構造１の場合、ルーバ材２に植物３８が載置されるので、建築物３を緑化することができ、窓５を介して屋内へ入る日光を抑制することができる。また、植物３８を通過したより涼しい風を、窓５を介して屋内へ取り入れることができる。また、本実施例の植栽ルーバ構造１の場合、建築物３の外壁に複数階に亘って形成されるので、建築物３をより緑化することができる。
【００３５】
また、本実施例の植栽ルーバ構造１の場合、ルーバ材２が凹部４の左右の壁面Ｗ２，Ｗ３間に架け渡されるので、建築物３との一体感を生じさせることができ、建築物３全体のデザイン性を向上させることができる。また、本実施例の植栽ルーバ構造１の場合、建築物３と一体的に構成されているので、ルーバ全体を壁面に取り付ける従来の場合と異なり、ルーバ全体が倒れることがなく、安全性を高めることができる。また、本実施例の植栽ルーバ構造１の場合、ルーバ全体を壁面に取り付ける従来の場合と異なり、羽根板を支持する支柱を別途必要としないので、支柱に関するコストがかからない。
【００３６】
また、本実施例の植栽ルーバ構造１の場合、カバー９の前壁１８が凸湾曲面状に形成されているので、図８の矢印Ｘに示されるように、カバー９の前壁１８が垂直面状の場合と比較して、ルーバ材２の奥側への通風を円滑に行うことができる。また、図８の矢印Ｙに示されるように、カバー９の前壁１８が垂直面状の場合と比較して、上下のルーバ材２，２の下側のルーバ材２に載置される植物３８への日射が、上側のルーバ材２の前壁１８によって妨げられるのを抑制することができる。
【００３７】
また、カバー９の前壁１８が垂直面状の場合と比較して、カバー９の前壁１８部分の上下の隙間を大きくすることができる。従って、カバー９の前壁１８部分の上下の隙間に伸びる背の高い植物３８をルーバ材２に載置することができ、また、カバー９の前壁１８部分の上下の隙間において植物３８を高く成長させることができる。なお、本実施例では、カバー９の後壁１９も凸湾曲面状に形成されているので、カバー９の後壁１９部分の上下の隙間に伸びる背の高い植物３８をルーバ材２に載置することができ、また、カバー９の後壁１９部分の上下の隙間において植物３８を高く成長させることができる。このようにして、本実施例では、屋外側の下方から見た場合に、植物３８を大きく見せることができ、意匠性の向上と視線の遮断とをより一層図ることができる。
【００３８】
また、本実施例の植栽ルーバ構造１の場合、植物３８に水分を供給する供給機構３１を備えるので、プランタ３９に栽培された植物３８へ容易に水を与えることができ、ルーバ材２に載置される植物３８の世話を容易に行うことができる。また、本実施例の植栽ルーバ構造１の場合、カバー９内の水を外部へ排水する排水機構３２を備えるので、ルーバ材２に溜まった水を容易に排水することができる。従って、カバー９にカビが繁殖するのを抑制したり、カバー９の腐食を抑制したりすることができる。
【００３９】
また、本実施例の植栽ルーバ構造１の場合、ルーバ材２のカバー９が着脱可能とされているので、カバー９を容易に取り替えることができる。さらに、カバー９が汚れたり損傷したりした場合、ルーバ材２全体を取り替える必要がなく、コストの低減を図ることができる。
【００４０】
本発明の植栽ルーバ構造は、前記実施例の構成に限らず、適宜変更可能である。たとえば、前記実施例では、植物３８は、プランタ３９に栽培されるものであったが、造花などの人工的な植物であってもよい。この場合、植物は、プランタ３９を介さずに直接ルーバ材２に載置することができる。さらに、前記実施例では、カバー９の前壁１８および後壁１９は、凸湾曲面状に形成されたが、これに限定されるものではなく、たとえば、カバー９の前壁は、下方へ行くに従って後方へ延出して形成される傾斜面であってもよい。
【産業上の利用可能性】
【００４１】
本発明は、建築物の外壁に複数階に亘って設けられる植栽ルーバに好適に適用されるものである。
【符号の説明】
【００４２】
１  植栽ルーバ構造
２  ルーバ材
３  建築物
４  凹部
５  窓
８  受け部
９  カバー
１８  前壁
３１  供給機構
３３  配管
３４  分岐管
３８  植物
３９  プランタ
【図１】
2018029553.tif 000003
【図２】
2018029553.tif 000004
【図３】
2018029553.tif 000005
【図４】
2018029553.tif 000006
【図５】
2018029553.tif 000007
【図６】
2018029553.tif 000008
【図７】
2018029553.tif 000009
【図８】
2018029553.tif 000010
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
植物を載置可能な複数のルーバ材を備え、
前記複数のルーバ材は、建築物の外壁を複数階に亘って窪ませた凹部の互いに対向する左右の壁面それぞれに前記建築物の高さ方向に互いに離隔して設けられる複数の支持片を介して、前記左右の壁面間に、前記建築物の高さ方向に互いに離隔して架け渡されており、
前記各ルーバ材は、前記植物を載置可能な受け部と、前記受け部を下方から覆うカバーとを備え、
前記受け部は、前記支持片を介して前記左右の壁面間に架け渡され、
前記カバーは、上方へ開口した中空容器状で、前壁が下方へ行くに従って後方へ延出して形成されており、前記受け部に対して着脱可能とされている
ことを特徴とする植栽ルーバ構造。
【請求項２】
前記凹部の奥側の壁面には窓が設けられており、
前記複数のルーバ材の内、一部が前記窓と対応して配置される
ことを特徴とする請求項１に記載の植栽ルーバ構造。
【請求項３】
前記植物は、プランタに栽培されて前記複数のルーバ材に載置されており、
前記植物へ水分を供給する供給機構をさらに備え、
前記供給機構は、前記凹部内に上下方向へ沿って配置される配管と、前記配管から分岐して前記プランタへ至る分岐管とを有する
ことを特徴とする請求項１または請求項２に記載の植栽ルーバ構造。
【手続補正２】
【補正対象書類名】明細書
【補正対象項目名】０００６
【補正方法】変更
【補正の内容】
【０００６】
上記目的を達成するための本発明に係る植栽ルーバ構造は、植物を載置可能な複数のルーバ材を備え、前記複数のルーバ材は、建築物の外壁を複数階に亘って窪ませた凹部の互いに対向する左右の壁面それぞれに前記建築物の高さ方向に互いに離隔して設けられる複数の支持片を介して、前記左右の壁面間に、前記建築物の高さ方向に互いに離隔して架け渡されており、前記各ルーバ材は、前記植物を載置可能な受け部と、前記受け部を下方から覆うカバーとを備え、前記受け部は、前記支持片を介して前記左右の壁面間に架け渡され、前記カバーは、上方へ開口した中空容器状で、前壁が下方へ行くに従って後方へ延出して形成されており、前記受け部に対して着脱可能とされていることを特徴とする。
【手続補正３】
【補正対象書類名】明細書
【補正対象項目名】０００８
【補正方法】削除
【補正の内容】